(57)【要約】【課題】端末局装置が送信する周波数帯域の占有および開放を行う場合に、自端末局装置および他端末局装置の周波数帯域が分散配置されないように周波数帯域を選択する。【解決手段】１つの基地局装置と複数の端末局装置で構成され、各端末局装置が互いに異なる周波数スロットを占有して通信を行うＦＤＭＡ通信システムの端末局装置に備えられた周波数帯域幅変更手段が、占有または開放する周波数スロットを選択する周波数スロット選択方法において、周波数帯域幅変更手段は、新たな周波数スロットを占有するときに、空き帯域情報に基づいて、未使用の周波数スロットが連続した空き帯域の中で最も広い空き帯域の中心の周波数スロットを選択して占有する第１のステップを実行する。【選択図】  図２
2019041262.tif 000002
【特許請求の範囲】
【請求項１】
１つの基地局装置と複数の端末局装置で構成され、各端末局装置が互いに異なる周波数スロットを占有して通信を行うＦＤＭＡ通信システムの端末局装置に備えられた周波数帯域幅変更手段が、占有または開放する周波数スロットを選択する周波数スロット選択方法において、
前記周波数帯域幅変更手段は、新たな周波数スロットを占有するときに、空き帯域情報に基づいて、未使用の周波数スロットが連続した空き帯域の中で最も広い空き帯域の中心の周波数スロットを選択して占有する第１のステップを実行する
ことを特徴とする周波数スロット選択方法。
【請求項２】
請求項１に記載の周波数スロット選択方法において、
前記周波数帯域幅変更手段は、前記第１のステップで周波数スロットの占有に失敗した場合に、当該周波数スロットは既に占有されたものと見なした上で再度、前記第１のステップを実行する
ことを特徴とする周波数スロット選択方法。
【請求項３】
請求項１に記載の周波数スロット選択方法において、
前記周波数帯域幅変更手段は、既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２のステップを実行する
ことを特徴とする周波数スロット選択方法。
【請求項４】
請求項３に記載の周波数スロット選択方法において、
前記周波数帯域幅変更手段は、前記第２のステップで周波数スロットの占有に失敗した場合、既占有周波数スロットの両隣の空き帯域のうち帯域幅の大きい方に隣接する周波数スロットを選択して占有する第３のステップを実行する
ことを特徴とする周波数スロット選択方法。
【請求項５】
請求項１に記載の周波数スロット選択方法において、
前記周波数帯域幅変更手段は、既に占有した周波数スロット（既占有周波数スロット）を開放するときに、既占有周波数スロットが連続する占有帯域が分散配置されていれば、各占有帯域のうち帯域幅（周波数スロット数）が最小の占有帯域の周波数スロットから開放する
ことを特徴とする周波数スロット選択方法。
【請求項６】
請求項１に記載の周波数スロット選択方法において、
前記周波数帯域幅変更手段は、既に占有した周波数スロット（既占有周波数スロット）を開放するときに、既占有周波数スロットが連続する占有帯域が分散配置されていなければ、該占有帯域の両隣の空き帯域のうち帯域幅（周波数スロット数）が大きい空き帯域に隣接する既占有周波数スロットから開放する
ことを特徴とする記載の周波数スロット選択方法。
【請求項７】
１つの基地局装置と複数の端末局装置で構成され、各端末局装置が互いに異なる周波数スロットを占有して通信を行うＦＤＭＡ通信システムにおいて、
前記端末局装置は、
新たな周波数スロットを占有するときに、空き帯域情報に基づいて、未使用の周波数スロットが連続した空き帯域の中で最も広い空き帯域の中心の周波数スロットを選択して占有する第１の手段と、
既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２の手段と、
前記既占有周波数スロットを開放するときに、前記既占有周波数スロットが連続する占有帯域が分散配置されていれば、各占有帯域のうち帯域幅（周波数スロット数）が最小の占有帯域の周波数スロットから開放する第３の手段と、
前記既占有周波数スロットを開放するときに、前記既占有周波数スロットが連続する占有帯域が分散配置されていなければ、該占有帯域の両隣の空き帯域のうち帯域幅（周波数スロット数）が大きい空き帯域に隣接する既占有周波数スロットから開放する第４の手段と
を備えたことを特徴とするＦＤＭＡ通信システム。
【請求項８】
１つの基地局装置と複数の端末局装置で構成され、各端末局装置が互いに異なる周波数スロットを占有して通信を行うＦＤＭＡ通信システムの端末局装置において、
新たな周波数スロットを占有するときに、空き帯域情報に基づいて、未使用の周波数スロットが連続した空き帯域の中で最も広い空き帯域の中心の周波数スロットを選択して占有する第１の手段と、
既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２の手段と、
前記既占有周波数スロットを開放するときに、前記既占有周波数スロットが連続する占有帯域が分散配置されていれば、各占有帯域のうち帯域幅（周波数スロット数）が最小の占有帯域の周波数スロットから開放する第３の手段と、
前記既占有周波数スロットを開放するときに、前記既占有周波数スロットが連続する占有帯域が分散配置されていなければ、該占有帯域の両隣の空き帯域のうち帯域幅（周波数スロット数）が大きい空き帯域に隣接する既占有周波数スロットから開放する第４の手段と
を備えたことを特徴とするＦＤＭＡ通信システムの端末局装置。
【発明の詳細な説明】
【技術分野】
【０００１】
本発明は、１つの基地局装置と複数の端末局装置で構成され、各端末局装置が互いに異なる周波数帯域を占有して通信を行う周波数スロット選択方法、ＦＤＭＡ通信システムおよび端末局装置に関する。
【背景技術】
【０００２】
無線通信では、複数の無線局に無線リソースを干渉なくかつ効率的に割り当てるため、例えば周波数帯域を分割して各無線局に割り当てるＦＤＭＡ（周波数分割多元接続）方式などのアクセス制御技術が用いられる。
【０００３】
さらに、ＦＤＭＡ通信システムでは、収容局数やトラフィックが時間に応じて変動する場合に、周波数利用効率の高いアクセス制御技術として、通信を行う無線局の要求に応じて必要な周波数チャネルを割り当てるＤＡＭＡ（Demand Assign Multiple Access ）が有効とされている。これは、ＤＡＭＡを制御する基地局装置が逐次端末局装置の所要帯域および回線状態を管理し、効率的に帯域割り当てを行うことができるからである。しかし、ＤＡＭＡシステムは、全端末局装置を管理する複雑な集中制御機構が必要であるのに加え、制御に必要なオーバーヘッドが増加するため、チャネルを割り当てるまでの接続遅延や、帯域の利用効率が減少する課題があった。
【０００４】
そのため、ＤＡＭＡに代わり、集中制御を行うことなく空き帯域を有効利用できるアクセス制御技術が従来より検討されてきた。例えば、ランダムアクセスに代表されるＣＳＭＡ／ＣＡ（Carrier Sense Multiple Access with Collision Avoidance）技術（非特許文献１）や、Aloha 技術（非特許文献２）である。これらは自律的にセンシング等を行って時間方向で棲み分けを行うことで、空いているリソースを効率よく利用する方式である。
【０００５】
分散制御を行うＣＳＭＡ／ＣＡ方式は、同じ周波数の時間リソースを複数の無線局で分割しながらシェアする方式であるため、各ユーザが割り当てられた周波数リソースを継続的に時間占有利用するＦＤＭＡ通信システム（例えば衛星通信システム）には適用できない。
【０００６】
さらに、ＣＳＭＡ／ＣＡ方式は、他の無線局の通信状態をセンシングすることが必要であるが、36,000km離れた静止衛星を仲介して行われる衛星通信システムの場合は、往復で0.25sec の遅延が生じてしまうため、衝突回避のためのバックオフ時間が多大になる。その結果、回線確立時間が長くなり、システムとして回線利用効率が低下する問題がある。
【０００７】
このように、例えば衛星通信システムにおいて帯域幅の異なる複数のアプリケーションに対応するには、集中制御を要することなく衛星トランスポンダ帯域を有効利用し、かつ災害時の衛星電話のような重要回線を維持するアップリンクランダムアクセス技術が必要となる。
【０００８】
これを解決する手段として、非特許文献３の自律分散ＦＤＭＡは、各ユーザが自律的に帯域を占有し、帯域幅を拡張または開放するシステムである。本技術は、１つの基地局装置と複数の端末局装置で構成されるＦＤＭＡ通信システムにおいて、集中制御を要することなく各端末局装置がそれぞれの要求帯域に応じて自律的に周波数帯域を分割し、かつ端末局装置ごとに所定の回線を維持することができる。これにより、各端末局装置が自律分散的に周波数帯域を共用することができるため、集中制御局を用いない帯域共用を実現することができる。
【先行技術文献】
【特許文献】
【０００９】
【特許文献１】特開２０１４−１２０８３５号公報
【非特許文献】
【００１０】
【非特許文献１】Ziouva, Eustathia, and Theodore Antonakopoulos. "CSMA/CA performance under high traffic conditions: throughput and delay analysis." Computer communications 25.3 (2002): 313-321.
【非特許文献２】Abramson, Norman. "THE ALOHA SYSTEM: another alternative for computer communications." Proceedings of the November 17-19, 1970, fall joint computer conference. ACM, 1970.
【非特許文献３】五藤大介，山下史洋，阿部順一，北直樹，“B-3-10自律分散帯域制御FDMA方式の提案（b-3.衛星通信，一般セッション），”電子情報通信学会総合大会講演論文集，p.196 ，Sep. 2016 ．
【発明の概要】
【発明が解決しようとする課題】
【００１１】
非特許文献３の技術は、各端末局装置が空き帯域を選択して占有する際に、空き帯域の候補からランダムに選択することを想定している。ランダムに選択することによって占有帯域が分散配置されやすくなる。その結果、図７に示すように、端末局装置Ａ，Ｂ，Ｃのマルチキャリア信号が分散すると、送信信号のピーク電力対平均電力比（ＰＡＰＲ：Peak-To-Average Ratio ）を増大させ、増幅器の非線形歪を生じさせ、信号品質劣化につながる問題が生じる。そのため、各端末局装置のキャリアがなるべく分散配置されないように設計することで、ＰＡＰＲの低減を図る上で望ましい。
【００１２】
特許文献１は、帯域割り当てを行う際に、回線の要求速度を満たす空き帯域のうち、最小となるものを選択することで、帯域を万遍なく、かつなるべく分散配置されないように選択するアルゴリズムを提案している。しかし、本方式は集中制御局が全端末の割り当てを行うＤＡＭＡシステムを前提としているため、自律分散システムで問題となる衝突や、その後占有が想定される他端末のための空き帯域の連続性を考慮した作りにはなっていない。
【００１３】
本発明は、集中制御を要することなく各端末局装置がそれぞれの要求帯域に応じて自律的に周波数帯域を占有するＦＤＭＡ通信システムにおいて、端末局装置が送信する周波数帯域の占有および開放を行う場合に、自端末局装置および他端末局装置の周波数帯域が分散配置されないように周波数帯域を選択することができる周波数スロット選択方法、ＦＤＭＡ通信システムおよび端末局装置を提供することを目的とする。
【課題を解決するための手段】
【００１４】
第１の発明は、１つの基地局装置と複数の端末局装置で構成され、各端末局装置が互いに異なる周波数スロットを占有して通信を行うＦＤＭＡ通信システムの端末局装置に備えられた周波数帯域幅変更手段が、占有または開放する周波数スロットを選択する周波数スロット選択方法において、周波数帯域幅変更手段は、新たな周波数スロットを占有するときに、空き帯域情報に基づいて、未使用の周波数スロットが連続した空き帯域の中で最も広い空き帯域の中心の周波数スロットを選択して占有する第１のステップを実行する。
【００１５】
第１の発明の周波数スロット選択方法において、周波数帯域幅変更手段は、第１のステップで周波数スロットの占有に失敗した場合に、当該周波数スロットは既に占有されたものと見なした上で再度、第１のステップを実行する。
【００１６】
第１の発明の周波数スロット選択方法において、周波数帯域幅変更手段は、既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２のステップを実行する。
【００１７】
第１の発明のスロット選択方法において、周波数帯域幅変更手段は、第２のステップで周波数スロットの占有に失敗した場合、既占有周波数スロットの両隣の空き帯域のうち帯域幅の大きい方に隣接する周波数スロットを選択して占有する第３のステップを実行する。
【００１８】
第１の発明の周波数スロット選択方法において、周波数帯域幅変更手段は、既に占有した周波数スロット（既占有周波数スロット）を開放するときに、既占有周波数スロットが連続する占有帯域が分散配置されていれば、各占有帯域のうち帯域幅（周波数スロット数）が最小の占有帯域の周波数スロットから開放する。
【００１９】
第１の発明の周波数スロット選択方法において、周波数帯域幅変更手段は、既に占有した周波数スロット（既占有周波数スロット）を開放するときに、既占有周波数スロットが連続する占有帯域が分散配置されていなければ、該占有帯域の両隣の空き帯域のうち帯域幅（周波数スロット数）が大きい空き帯域に隣接する既占有周波数スロットから開放する。
【００２０】
第２の発明は、１つの基地局装置と複数の端末局装置で構成され、各端末局装置が互いに異なる周波数スロットを占有して通信を行うＦＤＭＡ通信システムにおいて、端末局装置は、新たな周波数スロットを占有するときに、空き帯域情報に基づいて、未使用の周波数スロットが連続した空き帯域の中で最も広い空き帯域の中心の周波数スロットを選択して占有する第１の手段と、既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２の手段と、既占有周波数スロットを開放するときに、既占有周波数スロットが連続する占有帯域が分散配置されていれば、各占有帯域のうち帯域幅（周波数スロット数）が最小の占有帯域の周波数スロットから開放する第３の手段と、既占有周波数スロットを開放するときに、既占有周波数スロットが連続する占有帯域が分散配置されていなければ、該占有帯域の両隣の空き帯域のうち帯域幅（周波数スロット数）が大きい空き帯域に隣接する既占有周波数スロットから開放する第４の手段とを備える。
【００２１】
第３の発明は、１つの基地局装置と複数の端末局装置で構成され、各端末局装置が互いに異なる周波数スロットを占有して通信を行うＦＤＭＡ通信システムの端末局装置において、新たな周波数スロットを占有するときに、空き帯域情報に基づいて、未使用の周波数スロットが連続した空き帯域の中で最も広い空き帯域の中心の周波数スロットを選択して占有する第１の手段と、既に占有した周波数スロット（既占有周波数スロット）が存在し、さらに周波数帯域を拡張するときに、既占有周波数スロットの両隣の空き帯域のうち帯域幅の小さい方に隣接する周波数スロットを選択して占有する第２の手段と、既占有周波数スロットを開放するときに、既占有周波数スロットが連続する占有帯域が分散配置されていれば、各占有帯域のうち帯域幅（周波数スロット数）が最小の占有帯域の周波数スロットから開放する第３の手段と、既占有周波数スロットを開放するときに、既占有周波数スロットが連続する占有帯域が分散配置されていなければ、該占有帯域の両隣の空き帯域のうち帯域幅（周波数スロット数）が大きい空き帯域に隣接する既占有周波数スロットから開放する第４の手段とを備える。
【発明の効果】
【００２２】
本発明は、周波数帯域を占有する場合は空き帯域の中心の周波数スロットから優先的に選択し、周波数帯域を拡張する場合の既占有周波数スロットの両隣を優先し、さらに両隣のうち空き帯域が小さい方を選択することで、自端末局装置の占有周波数スロットの連続性を高め、かつ残留する空き帯域をできる限り連続性が維持されるようにすることができる。
【００２３】
また、本発明は、周波数帯域を開放する場合は、分散配置された占有帯域のうち帯域幅が小さい方の占有帯域の周波数スロットから優先的に開放することで、残りの占有帯域の連続性を保持しやすくする。さらに、占有帯域に隣接する空き帯域のうち帯域幅が大きい方に隣接する周波数スロットから開放することで、空き帯域の連続性をできるだけ保持することができる。
【図面の簡単な説明】
【００２４】
【図１】本発明のＦＤＭＡ通信システムの構成例を示す図である。
【図２】端末局装置２０における周波数スロット占有時の処理手順例を示すフローチャートである。
【図３】端末局装置２０における周波数スロット開放時の処理手順例を示すフローチャートである。
【図４】周波数スロットを占有する処理例を示す図である。
【図５】割当要求信号が衝突した場合の処理例を示す図である。
【図６】周波数スロットを開放する処理例を示す図である。
【図７】周波数スロットの占有例を示す図である。
【発明を実施するための形態】
【００２５】
図１は、本発明のＦＤＭＡ通信システムの構成例を示す。
図１において、ＦＤＡＭ通信システムは、１つの基地局装置１０と、複数の端末局装置２０−１〜２０−３により構成される。ダウンリンクは基地局装置１０から端末局装置２０への通信、アップリンクは端末局装置２０から基地局装置１０への通信を示す。本システム構成における周波数チャネルは、ダウンリンク制御チャネルとアップリンクチャネルで構成され、アップリンクチャネルは一定の周波数帯域幅ごとに周波数スロット１〜11を割り当てており、基地局装置１０および端末局装置２０ともに当該周波数スロット位置を把握しているものとする。
【００２６】
本ＦＤＭＡ通信システムは、基地局装置１０と端末局装置２０におけるＦＤＭＡ方式のアップリンク帯域の有効利用を目的とし、各端末局装置２０が自律的に空き帯域情報に応じて、周波数スロットの占有または開放を行う。基地局装置１０は、端末局装置２０からの割当要求に対して各周波数スロットの割当許可と占有可能最大スロット数を通知し、端末局装置２０は基地局装置１０から通知された占有可能最大スロット数以下の範囲で自律的に周波数スロットを占有し、また開放する。
【００２７】
図２は、端末局装置２０における周波数スロット占有時の処理手順例を示す。
図２において、端末局装置２０は、基地局装置１０からダウンリンク制御チャネルによって常時取得する空き帯域情報に基づき、未使用の周波数スロットが連続する空き帯域の中で最も広い空き帯域の中心の１つの周波数スロットａを選択し（Ｓ１）、その周波数スロットａを占有するための割当要求信号を周波数スロットａで基地局装置１０に送信する（Ｓ２）。なお、端末局装置２０がアップリンクチャネルの全部をキャリアセンスして空き帯域の分布を把握してもよい。基地局装置１０は、周波数スロットごとに割当要求信号が正常に受信されたか否かを判断し、周波数スロットａの割当要求信号を正常に受信した場合には、当該周波数スロットａの占有を許可するＡＣＫ信号を生成し、ダウンリンク制御チャネルで送信する。
【００２８】
端末局装置２０は、基地局装置１０からのＡＣＫ信号の受信により割当要求信号の送信成功と判断すると（Ｓ３：Yes ）、当該周波数スロットａを占有して通信を開始する（Ｓ４）。一方、ＡＣＫ信号を規定時間内に受信しない場合には割当要求信号の送信失敗と判断し（Ｓ３：No）、当該周波数スロットａは占有済みとみなし、ランダム時間待機した後にステップＳ１の処理に戻って空き帯域の中で最も広い空き帯域の探索から始める（Ｓ５）。
【００２９】
端末局装置２０は、１つの周波数スロットを占有して通信確立後に、さらに周波数帯域を拡張する場合には（Ｓ６：Yes ）、２つめの周波数スロットを選択および占有の処理に移行する（Ｓ７）。ここで、端末局装置間の衝突率を低減するため、１周波数スロットずつ拡張することとする。
【００３０】
また、基地局装置１０は、通信中の端末局装置数に応じて各端末局装置が利用可能な占有可能最大スロット数Ｗを計算し、ダウンリンク制御チャネルを用いて空き帯域情報として全端末局装置２０に通知する。例えば、全端末局装置２０は、自局宛のＡＣＫ信号に限らず、他局宛のＡＣＫ信号であっても受信可能であるので、ＡＣＫ信号に占有可能最大スロット数Ｗを設定する方法がある。各端末局装置２０は、取得したＷを超えない範囲で周波数帯域の拡張が可能となり、最終的に全端末局装置がＷを占有することで帯域共用を実現する。ここで、例えば、
Ｗ＝（全周波数スロット数−１) ／通信中の端末局装置数
とし、新規端末局装置の割当要求信号を収容できるように最低１周波数スロットの空き帯域を設ける。
【００３１】
新規端末局装置が生起した場合、基地局装置１０からＷの減少が通知され、各端末局装置２０がＷより超過利用している分の周波数スロットを自律的に開放することで、新規端末局装置に割り当てる周波数帯域を確保する。なお、周波数スロットの開放処理については図３を参照して別途説明する。また、端末局装置２０が通信停止した場合には、通信中の端末局装置数が減少するため、基地局装置１０は占有可能最大スロット数Ｗを計算しなおし、例えばダウンリンク制御チャネルを用いて変更通知信号などにより全端末局装置２０に通知してもよい。
【００３２】
端末局装置２０が２つめの周波数スロットを選択する処理では、既に占有した周波数スロット（既占有周波数スロット）の両隣の空き帯域のうち帯域幅の小さい方に隣接する周波数スロットｂを選択し（Ｓ７）、その周波数スロットｂを占有するための割当要求信号を周波数スロットｂで基地局装置１０に送信する（Ｓ８）。端末局装置２０は、基地局装置１０からのＡＣＫ信号の受信により割当要求信号の送信成功と判断すると（Ｓ９：Yes ）、当該周波数スロット（ｂ）を占有して通信を開始する（Ｓ４）。
【００３３】
一方、ＡＣＫ信号を規定時間内に受信しない場合には割当要求信号の送信失敗と判断し（Ｓ９：No）、既占有周波数スロットの両隣の空き帯域のうち帯域幅が大きい方に隣接する周波数スロットｃを選択し（Ｓ10）、その周波数スロットｃを占有するための割当要求信号を周波数スロットｃで基地局装置１０に送信する（Ｓ11）。端末局装置２０は、基地局装置１０からのＡＣＫ信号の受信により割当要求信号の送信成功と判断すると（Ｓ12：Yes ）、当該周波数スロット（ｃ）を占有して通信を開始する（Ｓ４）。一方、ＡＣＫ信号を規定時間内に受信しない場合には割当要求信号の送信失敗と判断し（Ｓ12：No）、ステップＳ１に戻って空き帯域の中で最も広い空き帯域の探索から始める。
【００３４】
図３は、端末局装置２０における周波数スロット開放時の処理手順例を示す。
図３において、端末局装置２０は、例えば占有可能最大スロット数Ｗの減少が通知され、Ｗより超過利用している分の周波数スロットを開放するときに、占有帯域が分散配置されているか否かを判断する（Ｓ21）。端末局装置２０の占有帯域が分散配置されている場合には、各占有帯域のうち帯域幅（周波数スロット数）が最小の占有帯域の周波数スロットから開放する（Ｓ22）。また、端末局装置２０の占有帯域が分散配置されていない場合には、占有帯域の両隣の空き帯域のうち帯域幅（周波数スロット数）が大きい空き帯域に隣接する周波数スロットから開放する（Ｓ23）。さらに周波数スロットの開放が必要な場合には、ステップＳ21に戻って繰り返す（Ｓ24）。
【００３５】
以下、図４〜図６を参照して具体的に説明する。
図４は、周波数スロットを占有する処理例を示す。
図４(1) は、図２のステップＳ１に対応する。端末局装置Ａが周波数スロット５を占有し、端末局装置Ｃが周波数スロット１，11を占有している。既に占有した周波数スロット（既占有周波数スロット）が存在しない、もしくは、すでに存在する既占有周波数スロットに隣接する周波数スロットを選択できない場合、ここでは前者の端末局装置Ｂが周波数スロットを占有しようとするときに、未使用の周波数スロットが連続する空き帯域の中で最も広い空き帯域は、周波数スロット６〜10となり、その中心の１つの周波数スロット８を選択して占有する。
【００３６】
図４(2) は、図２のステップＳ７に対応する。端末局装置Ｄは、ステップＳ１により選択した周波数スロット３を占有する。一方、周波数スロット８を占有した端末局装置Ｂが周波数帯域を拡張する場合に、既占有周波数スロット８の両隣の空き帯域（６，７または９，10）のうち帯域幅の小さい方に隣接する周波数スロット７（または９でもよい）を選択して占有することにより、占有帯域（７，８）の連続性を高めることができる。
【００３７】
図４(3) は、図２のステップ７に対応する。周波数スロット７，８を占有する端末局装置Ｂは周波数スロット６を占有し、周波数スロット３を占有する端末局装置Ｄは周波数スロット２を占有する。特に、端末局装置Ｂのように、両隣の空き帯域（６または９，10）のうち帯域幅の小さい方に隣接する周波数スロット６を占有することにより、占有帯域（６，７，８）の連続性を確保するとともに、残留する空き帯域（９，10）の連続性を維持し、この後に占有を開始する端末局装置の連続帯域占有を可能にできる。
【００３８】
図５は、割当要求信号が衝突した場合の処理例を示す。
図５(1),(2) は、図２のステップＳ５に対応する。端末局装置Ａが周波数スロット４，５を占有し、端末局装置Ｃが周波数スロット１，２，11を占有している。端末局装置Ｂ，Ｄが周波数スロットを占有しようとするときに、ステップＳ１の選択によりともに周波数スロット８を選択したために割当要求信号の衝突が発生する。この場合、ステップＳ５により、ランダム時間待機した後に再び周波数スロットを選択するが、衝突した周波数スロット８は既占有周波数スロットとみなして、再度ステップＳ１により周波数スロットの選択を行う。端末局装置Ｂは、空き帯域（６，７または９，10）のうち帯域幅が小さい方（ここでは６，７）の中心となる１つの周波数スロットを選択するが、周波数スロット数が偶数であるためランダムに周波数スロット７を選択する。端末局装置Ｄも同様に、端末局装置Ｂと異なるタイミングで同様の処理を行う。
【００３９】
図５(3),(4) は、周波数帯域の拡張時に、前回の衝突時に既占有扱いとしていた周波数スロット８を空き帯域とみなす。周波数スロット７を占有した端末局装置Ｂが、ステップＳ７により両隣の空き帯域（６または８，９，10）のうち帯域幅の小さい方に隣接する周波数スロット６を占有しようとするときに、周波数帯域を拡張しようとする端末局装置Ａも周波数スロット６を選択したために割当要求信号の衝突が発生する。この場合、図２のステップ10により、端末局装置Ｂは、周波数スロット７の両隣の空き帯域のうち、帯域幅の大きい方に隣接する周波数スロット８を占有する。
【００４０】
図６は、周波数スロットを開放する処理例を示す。
図６(1) は、図３のステップＳ22に対応する。端末局装置Ａが周波数スロット５を占有し、端末局装置Ｂが周波数スロット３，４，６〜９を占有し、端末局装置Ｃが周波数スロット２，11を占有している。ここで、基地局装置から通知された占有可能最大スロット数Ｗ（例えば３）を超過する占有帯域をもつ端末局装置Ｂは、周波数スロットを開放する必要が生じる。このとき、端末局装置の占有帯域は分散配置されているので、各占有帯域のうち帯域幅が小さい方の周波数スロット３，４から開放する。これにより、残りの占有帯域（６，７，８，９）の連続性を確保することができる。
【００４１】
図６(2) は、図３のステップＳ23に対応する。端末局装置Ｂは、周波数スロット３，４を開放しても、占有可能最大スロット数Ｗ（例えば３）になるまで開放を続ける必要がある。この場合、占有帯域（６〜９）の両隣の空き帯域のうち帯域幅（周波数スロット数）が大きい方に隣接する周波数スロットを開放するが、片方にしかない空き帯域（10）に隣接する周波数スロット９を開放する。
【００４２】
図６(3) は、各端末局装置が占有可能最大スロット数Ｗ（例えば３）を満足するまで開放した後の周波数スロットの占有状況を示す。端末局装置Ｂは、周波数スロット６，７，８の連続性を確保しつつ、周波数スロット３，４および周波数スロット９，10の連続した空き帯域も確保することができる。
【符号の説明】
【００４３】
１０  基地局装置
２０  端末局装置
【図１】
2019041262.tif 000003
【図２】
2019041262.tif 000004
【図３】
2019041262.tif 000005
【図４】
2019041262.tif 000006
【図５】
2019041262.tif 000007
【図６】
2019041262.tif 000008
【図７】
2019041262.tif 000009